(57)【要約】【課題】カム環と固定筒との間のガタを除去し、光学素子の位置精度を向上させる。【解決手段】光学機器は、固定筒１２の内周に配置され、光学素子Ｌ２を光軸方向に駆動するカム部２２ａを有して光軸周りで回転するカム環２２と、光軸方向の第１および第２の位置におけるカム環と固定筒との間に配置され、カム環と固定筒に当接しながら転動するボール３２，３７とを有する。第１の位置においてカム環と固定筒における第１のボール受け面２２ｄ，１２ｅが光軸方向に対して傾き、第２の位置においてカム環と固定筒のうち一方における第２のボール受け面２２ｆが光軸方向に対して傾いている。第１の位置において、第１の弾性部材３６によりボールを光軸方向に付勢することでカム環を固定筒に対して光軸方向および径方向にて位置決めし、第２の位置において、第２の弾性部材４１によりボールを付勢することでカム環を固定筒に対して径方向に位置決めする。【選択図】図６
2011169954.tif 000002
【特許請求の範囲】
【請求項１】
光軸方向に移動する光学素子と、
前記光学素子を収容し、該光学素子の前記光軸方向への移動をガイドする固定筒と、
前記固定筒の内周または外周に配置され、前記光学素子を前記光軸方向に駆動するカム部を有して前記固定筒に対して光軸周りで回転するカム環と、
前記光軸方向において互いに離れた第１の位置と第２の位置における前記カム環と前記固定筒との間にそれぞれ配置され、前記カム環と前記固定筒に当接しながら転動するボールとを有し、
前記第１の位置において前記カム環および前記固定筒における前記ボールが当接する第１のボール受け面が前記光軸方向に対して傾いており、前記第２の位置において前記カム環および前記固定筒のうち一方における前記ボールが当接する第２のボール受け面が前記光軸方向に対して傾いており、
前記第１の位置において、第１の弾性部材によって前記ボールを前記光軸方向に付勢することで、前記ボールおよび前記第１のボール受け面を介して前記カム環を前記固定筒に対して前記光軸方向および該光軸方向に直交する方向に位置決めし、
前記第２の位置において、第２の弾性部材によって前記ボールを付勢することで、前記ボールおよび前記第２のボール受け面を介して前記カム環を前記固定筒に対して前記光軸方向に直交する方向に位置決めすることを特徴とする光学機器。
【発明の詳細な説明】
【技術分野】
【０００１】
本発明は、デジタルカメラやビデオカメラ等の撮像装置および交換レンズを含む光学機器に関する。
【背景技術】
【０００２】
上記のような光学機器には、光軸方向に移動可能な変倍レンズやフォーカスレンズ等の複数のレンズを含む撮影レンズ鏡筒が設けられている。撮影レンズ鏡筒には、モータ等のアクチュエータによってカム環を回転させ、該カム環に形成されたカム部によってレンズを光軸方向に移動させる機構が設けられているものがある。また、撮影レンズ鏡筒には、使用者がマニュアル操作リングを回転操作することで、該操作リングに連結部材を介して連結されたカム環が回転し、該カム環のカム部によってレンズが光軸方向に移動される機構も設けられているものがある。
このような光学機器において、カム環と該カム環を回転可能に支持する固定筒との間の許容ガタ量は、一般に１０〜３０μｍ程度である。ただし、撮像において被写体像を光電変換する撮像素子の高画素化に伴い、固定筒に対するカム環の許容ガタ量をより小さくして、レンズの光軸直交方向での位置精度を向上させる必要が生じている。また、カム環や固定筒の製造誤差や温度変化によるカム環や固定筒の変形によって、両者間のガタ量にばらつきが生じ、レンズの位置精度やカム環の回転負荷に影響する。
特許文献１にて開示された光学機器では、マニュアル操作リングの内周面と固定筒の外周面との間に挟み込まれた複数のボールによって、マニュアル操作リングを固定筒に対して光軸に直交する方向にて位置決めするとともに、光軸回りで回転可能に支持している。このようなボールを用いた位置決めおよび回転支持構造は、カム環と固定筒との間に使用することも可能である。
【先行技術文献】
【特許文献】
【０００３】
【特許文献１】特開２００２−３６５５１３号公報
【発明の概要】
【発明が解決しようとする課題】
【０００４】
しかしながら、特許文献１にて開示されている構造と同様に、カム環の周面と固定筒の周面との間に単にボールを挟み込んだ構造では、ボールの直径だけ撮影レンズ鏡筒の径が大きくなり、光学機器の小型化の妨げになる。
しかも、変倍レンズ用のカム環のように、カム環の光軸方向の長さが長い場合に、特許文献１にて開示されているように光軸方向における１箇所にボールを配置しただけでは、カム環が光軸に対して倒れ易い。このような倒れを防止するためには、カム環と固定筒のとの間でのボールの挟持力を極端に大きくする必要があるが、これによりカム環の回転負荷が大きくなり、カム環を回転させるのに大きな駆動力や操作力が必要となる。
本発明は、径方向の大型化やカム環の回転負荷の増加を抑えつつ、カム環と固定筒との間のガタを除去して、カム環により駆動される光学素子の位置精度を向上させることができるようにした光学機器を提供する。
【課題を解決するための手段】
【０００５】
本発明の一側面としての光学機器は、光軸方向に移動する光学素子と、該光学素子を収容し、該光学素子の光軸方向への移動をガイドする固定筒と、固定筒の内周または外周に配置され、光学素子を光軸方向に駆動するカム部を有して固定筒に対して光軸周りで回転するカム環と、光軸方向において互いに離れた第１の位置と第２の位置におけるカム環と固定筒との間にそれぞれ配置され、カム環と固定筒に当接しながら転動するボールとを有する。第１の位置においてカム環および固定筒におけるボールが当接する第１のボール受け面が光軸方向に対して傾いており、第２の位置においてカム環および固定筒のうち一方におけるボールが当接する第２のボール受け面が光軸方向に対して傾いている。そして、第１の位置において、第１の弾性部材によってボールを光軸方向に付勢することで、ボールおよび第１のボール受け面を介してカム環を固定筒に対して光軸方向および該光軸方向に直交する方向に位置決めする。さらに、第２の位置において、第２の弾性部材によってボールを付勢することで、ボールおよび第２のボール受け面を介してカム環を固定筒に対して光軸方向に直交する方向に位置決めすることを特徴とする。
【発明の効果】
【０００６】
本発明では、光軸方向の２箇所（第１および第２の位置）において、カム環と固定筒との間にボールを配置することでカム環の光軸に対する倒れを防止している。しかも、ボールを弾性部材によって付勢することで、カム環を固定筒に対して光軸方向および光軸方向に直交する方向（径方向）で位置決めし、これらの間のガタを除去している。このため、本発明によれば、製造誤差や温度変化があっても、カム環によって駆動される光学素子の光軸方向および径方向での位置精度を向上させることができる。
また、カム環と固定筒との間でのボールの挟持力をそれほど大きくする必要がないので、ボールの転動負荷やカム環の回転負荷の増加を抑えることができる。
さらに、カム環および固定筒に設けられたボール受け面が光軸方向に対して傾いているので、カム環と固定筒との間にボールを配置したことによる径方向の大型化を抑えることができる。
【図面の簡単な説明】
【０００７】
【図１】本発明の実施例である光学機器のレンズ鏡筒の構成を示す断面図。
【図２】上記レンズ鏡筒の構成を示す分解斜視図。
【図３】上記レンズ鏡筒に含まれるカム環の展開図。
【図４】上記レンズ鏡筒におけるカム環保持機構を後側から見たときの分解斜視図。
【図５】上記カム環保持機構を前側から見たときの分解斜視図。
【図６】上記カム環保持機構の後側ボール保持部の断面図。
【図７】上記カム環保持機構の前側ボール保持部の断面図。
【発明を実施するための形態】
【０００８】
以下、本発明の実施例について図面を参照しながら説明する。
図１および図２には、本発明の実施例であるビデオカメラ（光学機器、撮像装置）のレンズ鏡筒の構成を示している。
該レンズ鏡筒内には、被写体側（図の左側）から順に、凸凹凸凹凸の５つのレンズユニットにより構成された撮影光学系としてのズームレンズが内蔵されている。なお、以下の説明において、被写体側を前側、撮像素子側を後側ともいう。
これらの図において、被写体側から順に、Ｌ１は固定の第１レンズユニット、Ｌ２およびＬ３はそれぞれ、光軸方向に移動して変倍を行う第２および第３レンズユニットである。
Ｌ４は光軸に直交する方向に移動して像振れ補正を行う第４レンズユニットである。Ｌ５は光軸方向に移動してフォーカシングを行う第５レンズユニットである。第２、第３および第５レンズユニットＬ２，Ｌ３，Ｌ５と後述する絞りユニット６が、光軸方向に移動可能な光学素子に相当する。
１は第１レンズユニットＬ１を保持する前玉鏡筒である。前玉鏡筒１に周方向１２０度間隔で取り付けられたカムフォロア１ａは、固定鏡筒（固定筒）１２に周方向１２０度間隔で形成された貫通穴部１２ａに係合している。該カムフォロア１ａと貫通穴部１２ａとの係合および前玉鏡筒１の外径部１ｂと固定鏡筒１２の内径部１２ｂとの嵌合によって、前玉鏡筒１（第１レンズユニットＬ１）は、固定鏡筒１２に対して位置決めされた状態で固定鏡筒１２により保持されている。
２は第２レンズユニットＬ２を保持する第２移動枠であり、３は第３レンズユニットＬ３を保持する第３移動枠である。４は第４レンズユニットＬ４を保持し、光軸に直交する方向にシフト可能なシフトユニットである。シフトユニット４は、固定鏡筒１２に対して位置決めされて固定されている。５は第５レンズユニットＬ５を保持する第５移動枠である。
固定鏡筒１２は、その内側に、第１レンズユニットＬ１、第２レンズユニットＬ２、第３レンズユニットＬ３、シフトユニット４、第５レンズユニットＬ５および後述する絞りユニット６を収容している。
８は撮影光学系により形成された被写体像（光学像）を電気信号に変換する撮像素子であり、ＣＣＤセンサやＣＭＯＳセンサより構成されている。
絞りユニット６は、撮像素子８に到達する光量を調節する。７は４つの濃度のＮＤフィルタを選択的に光路に挿入できるＮＤユニットであり、後部鏡筒１３に固定されている。
１０は撮像素子８および赤外カット・ローパスフィルタ９を保持する撮像素子保持枠である。撮像素子８は、第２および第３レンズユニットＬ２，Ｌ３とともに光軸方向に移動して変倍を行う。
１１は撮像素子ＦＰＣであり、撮像素子保持枠１０によって保持された撮像素子８への電気信号の入出力を行う。
１４は後部カバーであり、後部鏡筒１３に位置決めされて固定されている。後部鏡筒１３と後部カバー１４との間には、２本のガイドバー１５，１６が配置されている。撮像素子保持枠１０に設けられたスリーブ部１０ａはガイドバー１５に移動可能に係合して光軸方向にガイドされる。また、撮像素子保持枠１０に設けられたＵ溝部１０ｂはガイドバー１６に同方向に移動可能に係合して、撮像素子保持枠１０のガイドバー１５を中心とした回転を阻止する。
１７は磁石と摩擦材とを接合して構成され、後部鏡筒１３に固定されたスライダ（接触部材）である。撮像素子保持枠１０には、電気−機械エネルギー変換素子と該電気−機械エネルギー変換素子により振動が励起される板状の弾性部材とにより構成される振動子１８が固定されている。振動子１８の弾性部材は強磁性体であり、強磁性体がスライダ１７の磁石と引き合うことにより、スライダ１７の摩擦材の圧接面と振動子１８の弾性部材において光軸方向２箇所に形成された圧接面とが圧接される。
これらスライダ１７および振動子１８によって構成される振動型リニアアクチュエータでは、フレキシブル配線板（不図示）を介して２つの位相が異なる周波信号（パルス信号又は交番信号）が電気−機械エネルギー変換素子に入力される。これにより、振動子１８の圧接面に楕円運動が発生し、スライダ１７の圧接面に光軸方向の駆動力が発生する。
ＮＤベース７ａは、後部鏡筒１３に固定されており、後部鏡筒１３とＮＤベース７ａとの間には２本のガイドバー１９，２０が配置されている。第５移動枠５に設けられたスリーブ部５ａはガイドバー１９に移動可能に係合して光軸方向にガイドされる。また、第５移動枠５に設けられたＵ溝部５ｂは、ガイドバー２０に移動可能に係合して、第５移動枠５のガイドバー１９を中心とした回転を阻止する。
２１は磁石と摩擦材とを接合して構成された後部鏡筒１３に固定されたスライダ（接触部材）である。第５移動枠５には、電気−機械エネルギー変換素子と該電気−機械エネルギー変換素子により振動が励起される板状の弾性部材とにより構成される振動子（不図示）が固定されている。振動子の弾性部材は強磁性体であり、強磁性体がスライダ２１の磁石と引き合うことにより、スライダ２１の摩擦材の圧接面と振動子の弾性部材において光軸方向２箇所に形成された圧接面とが圧接される。
これらスライダ２１および振動子によって構成される振動型リニアアクチュエータでは、フレキシブル配線板（不図示）を介して２つの位相が異なる周波信号（パルス信号又は交番信号）が電気−機械エネルギー変換素子に入力される。これにより、振動子の圧接面に楕円運動が発生し、スライダ２１の圧接面に光軸方向の駆動力が発生する。
２２はカム環であり、後述するカム環保持機構によって固定鏡筒１２の内周に光軸周りで回転可能に配置されている。カム環２２には、図３に示すように、第２移動枠２（第２レンズユニットＬ２）を光軸方向に駆動する第１カム溝部（カム部）２２ａと、第３移動枠３（第３レンズユニットＬ３）を光軸方向に駆動する第２カム溝部（カム部）２２ｂとが形成されている。また、カム環２２には、絞りユニット６を光軸方向に駆動する第３カム溝部２２ｃも形成されている。
これらのカム溝部２２ａ，２２ｂ，２２ｃには、第２移動枠２、第３移動枠３および絞りユニット６に周方向１２０度間隔で設けられたカムフォロア２ａ，３ａ，６ａがそれぞれ係合している。また、固定鏡筒１２には、周方向１２０度間隔で光軸方向に延びるガイド溝部１２ｃ，１２ｄが形成されている。カムフォロア２ａはガイド溝部１２ｃに係合し、カムフォロア３ａ，６ａはガイド溝部１２ｄに係合している。第２移動枠２、第３移動枠３および絞りユニット６は、カムフォロア２ａ，３ａ，６ａがガイド溝部１２ｃ，１２ｄに係合することによって光軸周りでの回転が阻止されつつ、光軸方向にガイドされる。
変倍に際してカム環２２が固定鏡筒１２に対して光軸周りで回転すると、回転が阻止された第２移動枠２、第３移動枠３および絞りユニット６のカムフォロア２ａ，３ａ，６ａが第１〜第３カム溝部２２ａ〜２２ｃから光軸方向の駆動力を受ける。これにより、第２移動枠２、第３移動枠３および絞りユニット６が光軸方向に移動する。
２３，２４はそれぞれ、使用者によってマニュアル回転操作される操作部材としてのズームリングおよびフォーカスリングである。ズームリング２３は、光軸方向においてズームリング保持筒２５と中間鏡筒２６との間に配置され、ズームリング保持筒２５の外周にて光軸周りで回転可能に保持されている。また、フォーカスリング２４は、光軸方向においてフォーカスリング保持筒２７と中間鏡筒２６との間に配置され、フォーカスリング保持筒２７の外周にて光軸周りで回転可能に保持されている。
ズームリング２３およびフォーカスリング２４の内周には、これらリング２３，２４の回転量を検出するための回転センサ（不図示）が設けられている。該回転センサからのズームリング２３およびフォーカスリング２４の回転量に応じた出力信号を用いることで、ズームリング２３およびフォーカスリング２４の回転位置を検出することができる。
次に、カム環２２を保持するカム環保持機構について、図４〜図７を用いて説明する。図４および図５にはそれぞれ、カム環保持機構を分解して後側および前側から見て示している。図６および図７にはそれぞれ、カム環保持機構の後部と前部の断面を示している。
２８は磁石と摩擦材とを接合して構成され、カム環２２に固定されたスライダ（接触部材）である。カム環押え板２９には、電気−機械エネルギー変換素子と該電気−機械エネルギー変換素子により振動が励起される板状の弾性部材とにより構成される振動子３０が周方向１２０°間隔で固定されている。振動子３０の弾性部材は強磁性体であり、強磁性体がスライダ２８の磁石と引き合うことにより、スライダ２８の摩擦材の圧接面と振動子３０の弾性部材においてカム環２２の回転方向２箇所に形成された圧接面とが圧接される。
スライダ２８および振動子３０によって構成される振動型リニアアクチュエータでは、フレキシブル配線板（不図示）を介して２つの位相が異なる周波信号（パルス信号又は交番信号）が電気−機械エネルギー変換素子に入力される。これにより、振動子３０の圧接面に楕円運動が発生し、スライダ２８の圧接面にカム環２２の回転方向の接線方向に駆動力が発生する。そして、周方向１２０°間隔で配置された３つの振動子３０を同期制御することで、カム環２２をスムーズに光軸周りで回転させる。
図４に示すように、カム環２２の内周には、該カム環２２の回転量を検出するための回転センサ３１が設けられている。該回転センサ３１からのカム環２２の回転量に応じた出力信号を用いることで、カム環２２の回転位置を検出することができる。
図６に示すように、カム環２２の後部（第１の位置）における前側と後側には、カム環２２の周方向に延びる後部ボール受け面２２ｄ，２２ｅが形成されている。後部ボール受け面２２ｄ，２２ｅはそれぞれ、図６の断面（周方向視断面）において光軸方向に対して４５度傾き、かつ互いに９０度をなすように形成されている。また、固定鏡筒１２の後部の前側にも、固定鏡筒１２の周方向に延びる後部ボール受け面１２ｅが形成されている。後部ボール受け面１２ｅは、図６の断面において、光軸方向に対して４５度傾き、かつ後部ボール受け面２２ｄと９０度をなし、さらに後部ボール受け面２２ｅに対向するように形成されている。
後部ボール３２は、後部ボール受け面２２ｄ，２２ｅ，１２ｅに当接するように組み込まれる。３３は後部ボールリテーナであり、周方向に複数配置された後部ボール３２をそれらの周方向間隔を一定に保ちながら自転および公転可能、つまりは転動可能に保持している。
また、３４は後部ボール押圧部材であり、その周方向に延びる後部ボール押圧面３４ａを後部ボール３２に当接させている。後部ボール押圧面３４ａは、図６の断面において光軸方向に対して４５度傾いており、後部ボール受け面２２ｅ，１２ｅと９０度をなし、かつ後部ボール受け面２２ｄに対向する。
３５は後部ボールカバーであり、その外周部に形成されたネジ部３５ａが固定鏡筒１２に形成されたネジ部１２ｆに係合することで、固定鏡筒１２に対して位置決めされて保持されている。
３６は後部板バネ（第１の弾性部材）であり、後部ボールカバー３５と後部ボール押圧部材３４との間に配置され、後部ボール押圧部材３４を前方に付勢している。後部ボール押圧部材３４は、後部ボール押圧面３４ａによって後部ボール３２を後部ボール受け面２２ｄ，２２ｅ，１２ｅに押圧しつつ、その径方向での位置が可変な状態で後部ボールカバー３５と後部ボール３２とにより囲まれた空間Ａ内に配置されている。
以上の構成により、後部ボール３２は、４箇所で後部ボール受け面２２ｄ，２２ｅ，１２ｅおよび後部ボール押圧面３４ａに当接し、後部板バネ３６からの付勢力によって後部ボール受け面２２ｄ，２２ｅ，１２ｅおよび後部ボール押圧面３４ａの間で挟持される。
後部ボール受け面（第１のボール受け面）２２ｄ，１２ｅが光軸方向に対して４５度傾いている。このため、後部板バネ３６の光軸方向の付勢力は、後部ボール３２を介してカム環２２を固定鏡筒１２に対して光軸方向および径方向（光軸方向に直交する方向）にて位置決めする力として作用する。したがって、カム環２２の後部を、固定鏡筒１２に対して、光軸方向および径方向にて位置決めした状態で保持することができる。
カム環２２を回転させると、後部ボール３２は、後部ボール受け面２２ｄ，２２ｅ，１２ｅおよび後部ボール押圧面３４ａに当接ながら転動する。これにより、カム環２２を固定鏡筒１２に対してスムーズに回転させることができる。
後部板バネ３６の付勢力は、カム環２２、第２，第３レンズユニットＬ２，Ｌ３を含む第２，第３移動枠２，３および絞りユニット６の重量と、後述する前部板バネの光軸方向での付勢力との合算値以上の強さに設定される。ただし、後部ボール３２の転動負荷が適切になるように決定される。
図７に示すように、カム環２２の後部から光軸方向に離れた前部（第２の位置）には、カム環２２の周方向に延びる前部ボール受け面２２ｆが形成されている。前部ボール受け面２２ｆは、図７の断面（周方向視断面）において光軸方向に対して４５度傾いている。また、固定鏡筒１２の前部の内周にも、固定鏡筒１２の周方向に延びる前部ボール受け面１２ｇが形成されている。前部ボール受け面１２ｇは、図７の断面において、光軸方向に平行に形成されており、カム環２２の前部ボール受け面２２ｆと４５度をなす。
前部ボール３７は、前部ボール受け面２２ｆ，１２ｇに当接するように組み込まれる。３８は前部ボールリテーナであり、周方向に複数配置された前部ボール３７をそれらの周方向間隔を一定に保ちながら自転および公転可能、つまりは転動可能に保持している。
また、３９は前部ボール押圧部材であり、その周方向に延びる前部ボール押圧面３９ａを前部ボール３７に当接させている。前部ボール押圧面３９ａは、図７の断面において光軸方向および固定鏡筒１２の前部ボール受け面１２ｇに対して４５度傾いており、かつカム環２２の前部ボール受け面２２ｆと９０度をなす。
４０は前部ボールカバーであり、その外周部に形成されたネジ部４０ａが固定鏡筒１２に形成されたネジ部１２ｈに係合することで、固定鏡筒１２に対して位置決めされて保持されている。
４１は前部板バネ（第２の弾性部材）であり、前部ボールカバー４０と前部ボール押圧部材３９との間に配置され、前部ボール押圧部材３９を後方に付勢している。前部ボール押圧部材３９は、前部ボール押圧面３９ａによって前部ボール３７を前部ボール受け面２２ｆ，１２ｇに押圧しつつ、その径方向での位置が可変な状態で前部ボールカバー４０と前部ボール３７とにより囲まれた空間Ｂ内に配置されている。
以上の構成により、前部ボール３７は、３箇所で前部ボール受け面２２ｆ，１２ｇおよび前部ボール押圧面３９ａに当接し、かつ前部板バネ４１の付勢力によって前部ボール受け面２２ｆ，１２ｇおよび前部ボール押圧面３９ａの間で挟持される。
カム環２２の前部ボール受け面（第２のボール受け面）２２ｆが光軸方向に対して４５度傾いている。このため、前部板バネ４１の光軸方向の付勢力は、前部ボール３７を介してカム環２２を固定鏡筒１２に対して径方向にて位置決めする力として作用する。したがって、カム環２２の前部を、固定鏡筒１２に対して、径方向にて位置決めした状態で保持することができる。固定鏡筒１２の前部ボール受け面１２ｇは、後部での光軸方向の位置決めを妨げないように光軸方向に平行に形成されている。
カム環２２を回転させると、前部ボール３７は、前部ボール受け面２２ｆ，１２ｇおよび前部ボール押圧面３９ａに当接ながら転動する。これにより、カム環２２を固定鏡筒１２に対してスムーズに回転させることができる。
前部板バネ４１の付勢力は、カム環２２の重量以上の強さに設定される。ただし、前部ボール３７の転動負荷が適切になるように決定される。
【０００９】
本実施例によれば、光軸方向の２箇所において、カム環２２を固定鏡筒１２に対して径方向に位置決めし、かつ一方の箇所においてカム環２２を固定鏡筒１２に対して光軸方向に位置決めする。しかも、これらの位置決めは、板バネ３６，４１の付勢力によってボール３２，３７をカム環２２と固定鏡筒１２に押圧することで行う。これにより、カム環２２の光軸に対する倒れを防止しつつ、製造誤差や温度変化にかかわらずカム環２２を固定鏡筒１２に対して光軸方向および径方向に精度良く位置決めすることができる。したがって、カム環２２によって光軸方向に駆動される第２および第３レンズユニットＬ２，Ｌ３と絞りユニット６の光軸方向および径方向での位置精度を向上させることができる。
また、カム環２２の光軸方向の２箇所において固定鏡筒１２に対する径方向での位置決めを行うため、板バネ３６，４１の付勢力をあまり大きくする必要がない。したがって、ボール３２，３７の転動負荷およびカム環２２の回転負荷の増大を回避することができる。
さらに、カム環２２および固定鏡筒１２に設けられたボール受け面２２ｄ，２２ｅ，２２ｆ，１２ｅが光軸方向に対して傾いているので、カム環２２と固定鏡筒１２との間にボール３２，３７を配置したことによるレンズ鏡筒の径方向の大型化を抑えることができる。
なお、上記実施例では、固定鏡筒１２に形成された前部ボール受け面１２ｇを光軸方向に平行な面とし、カム環２２に形成された前部ボール受け面２２ｆを光軸方向に対して４５度傾いた面とした場合について説明した。しかし、固定鏡筒に光軸方向に対して４５度傾いた前部ボール受け面を形成し、カム環に光軸方向に平行な前部ボール受け面を形成してもよい。この場合、前部板バネは、カム環に対する光軸方向の付勢力を発生させる必要がなく、径方向の付勢力のみを発生させればよい。これにより、前部板バネの付勢力が後部板バネによる付勢に影響を与えることを回避できる。
以上説明した各実施例は代表的な例にすぎず、本発明の実施に際しては、各実施例に対して種々の変形や変更が可能である。
例えば、上記実施例では、前部および後部のボール受け面およびボール押圧面が光軸方向に対して４５度傾くように（隣のボール受け面と９０度をなすように）形成されている場合について説明したが、光軸方向に対する傾き角は必ずしも４５度でなくてもよい。
また、上記実施例では、カム環２２が固定鏡筒１２の内周に配置された場合について説明したが、カム環が固定筒の外周に配置されていてもよい。
また、上記実施例では、撮像素子と撮影レンズ鏡筒とが一体に設けられたカメラについて説明したが、本発明は、交換レンズやカメラに一体に設けられる部品ユニットとしての撮影レンズ鏡筒といった他の光学機器に用いることも可能である。
【産業上の利用可能性】
【００１０】
カム環によって駆動する可動レンズの位置精度が高いカメラや交換レンズ等の光学機器を提供できる。
【符号の説明】
【００１１】
１２  固定鏡筒
２２  カム環
３２，３７  ボール
３６，４１ 板バネ
【図１】
2011169954.tif 000003
【図２】
2011169954.tif 000004
【図３】
2011169954.tif 000005
【図４】
2011169954.tif 000006
【図５】
2011169954.tif 000007
【図６】
2011169954.tif 000008
【図７】
2011169954.tif 000009